(57)【要約】【課題】光源を用いる非自発光型の表示装置を備えた情報処理装置であって、光源と光源の駆動回路とを接続するコネクタのピンアサインが広範にわたる光源の数に適用することができるよう構成された情報処理装置を提供する。【解決手段】本発明に係る情報処理装置は、ＬＣＤパネル１４と、ＬＣＤパネル１４に対して光を照射するＬＥＤ群２１と、ＬＣＤパネル１４とは独立した部材として設けられてＬＥＤ群２１の輝度を制御するドライバ回路２２と、ＬＥＤ群２１とドライバ回路２２とを接続するＦＰＣ２３と、を筐体内に有する表示装置１２を備え、ドライバ回路２２と接続するためにＦＰＣ２３の一端部に設けられたコネクタのピンアサインは、陰極用端子の数が陽極用端子の数の３の倍数となるよう構成される。【選択図】  図３
2010008949.tif 000002
【特許請求の範囲】
【請求項１】
非自発光型の表示パネルと、
前記表示パネルに対して光を照射する光源と、
前記表示パネルとは独立した部材として設けられ、前記光源の輝度を制御する光源駆動部と、
前記光源と前記光源駆動部とを接続するフレキシブルプリント基板と、
を、筐体内に有する表示装置を備え、
前記光源駆動部と接続するために前記フレキシブルプリント基板の一端部に設けられたコネクタのピンアサインは、陰極用端子の数が陽極用端子の数の３の倍数となるよう構成されたことを特徴とする情報処理装置。
【請求項２】
前記コネクタに配設された前記陰極用端子は複数であり、
前記光源制御部は、前記陰極用端子ごとに電流量を制御可能に構成された、
請求項１記載の情報処理装置。
【請求項３】
前記コネクタのピンアサインは、
端子の配列方向に前記陰極用端子が隣接して配設されて陰極用端子列をなすとともに前記端子の配列方向に前記陽極用端子が隣接して配設されて陽極用端子列をなすように構成され、かつ、前記陰極用端子列および前記陽極用端子列の間には不接続端子が配設されるよう構成された、
請求項２記載の情報処理装置。
【請求項４】
前記コネクタのピンアサインは、
前記端子の配列方向の両端部にさらにそれぞれ不接続端子が配設されるよう構成された、
請求項３記載の情報処理装置。
【請求項５】
前記コネクタには、
前記陰極用端子が９個配設され、前記陽極用端子が３個配設された、
請求項４記載の情報処理装置。
【請求項６】
前記光源は、
同一の前記陰極用端子に直列に接続された複数の前記光源が互いに隣接しないように配設された、
請求項１ないし５のいずれか１項に記載の情報処理装置。
【発明の詳細な説明】
【技術分野】
【０００１】
本発明は、非自発光型の表示装置を備えた情報処理装置に関する。
【背景技術】
【０００２】
パーソナルコンピュータや携帯電話機などの情報処理装置には、液晶表示装置などの非自発光型の表示装置を備えたものがある。非自発光型の表示装置は、表示画面に表示される画像の視認性を向上させるため、一般に、表示画面（表示パネル）の前面や背面から光を照射するための光源を有する。この光源としては、これまで主に冷陰極管が用いられてきた。しかし、冷陰極管には水銀が用いられていることから、世界的な地球環境問題への認識の高まりに伴い、冷陰極管にかわる光源が求められている。
【０００３】
冷陰極管にかわる光源の一つとして、ＬＥＤ（Light Emitting Diode）が注目されている。これは、ＬＥＤが冷陰極管に比べ、水銀を用いていないため環境にやさしいことに加え、消費電力が低いためである。
【０００４】
光源としてＬＥＤを用いる場合、ＬＥＤを駆動するためにドライバ回路が必要となる。これは、光源として冷陰極管を用いる場合、冷陰極管を駆動するためにインバータ回路が必要となるのと同様である。
【０００５】
従来、この種のＬＥＤおよびＬＥＤのドライバ回路を備えた表示装置に、特開２００５−２６７８８１号公報（特許文献１）に開示されたものがある。
【０００６】
この特許文献１に開示された面状照明装置は、導光板と、導光板の一側面に対向配置された複数の点状光源（ＬＥＤ）と、複数のＬＥＤが実装された第１のフレキシブルプリント基板（ＦＰＣ：Flexible Printed Circuits）と、ＬＥＤのドライバ回路が形成されたＬＥＤドライバ回路基板と第１のＦＰＣとを接続する第２のＦＰＣと、を備え、第２のＦＰＣとＬＥＤドライバ回路基板とは、それぞれに設けられたコネクタを介して接続される。この面状照明装置は、ＦＰＣ上に配設された複数のＬＥＤを容易かつ確実に適正な位置に保持することができるようになっている。
【特許文献１】特開２００５−２６７８８１号公報
【発明の開示】
【発明が解決しようとする課題】
【０００７】
従来の技術は、表示装置のサイズが異なる場合、すなわちＬＥＤの個数が変化する場合を考慮していない。このため、従来の技術では、ＬＥＤの個数が異なる場合、ＬＥＤとＬＥＤドライバ回路基板と第１のＦＰＣとを接続するＦＰＣと、ＬＥＤドライバ回路基板とのそれぞれに設けられたコネクタもまた、異なるピンアサインを有するものを用いる必要がある。
【０００８】
本発明は、上述した事情を考慮してなされたもので、光源を用いる非自発光型の表示装置を備えた情報処理装置であって、光源と光源の駆動回路とを接続するコネクタのピンアサインが広範にわたる光源の数に適用することができるよう構成された情報処理装置を提供することを目的とする。
【課題を解決するための手段】
【０００９】
本発明に係る情報処理装置は、上述した課題を解決するために、非自発光型の表示パネルと、前記表示パネルに対して光を照射する光源と、前記表示パネルとは独立した部材として設けられ、前記光源の輝度を制御する光源駆動部と、前記光源と前記光源駆動部とを接続するフレキシブルプリント基板と、を、筐体内に有する表示装置を備え、前記光源駆動部と接続するために前記フレキシブルプリント基板の一端部に設けられたコネクタのピンアサインは、陰極用端子の数が陽極用端子の数の３の倍数となるよう構成されたことを特徴とするものである。
【発明の効果】
【００１０】
本発明に係る情報処理装置は、光源を用いる非自発光型の表示装置を備えた情報処理装置であって、光源と光源の駆動回路とを接続するコネクタのピンアサインが広範にわたる光源の数に適用することができるよう構成される。
【発明を実施するための最良の形態】
【００１１】
本発明に係る情報処理装置の実施の形態について、添付図面を参照して説明する。
【００１２】
図１は、本発明に係る情報処理装置の第１実施形態を示す概略的な全体構成図である。なお、以下の説明においては、光源としてＬＥＤ（Light Emitting Diode）を有する液晶表示装置を備えたノートブック型のパーソナルコンピュータを情報処理装置の一例として示す。
【００１３】
情報処理装置１０は、コンピュータ本体１１および表示装置１２を備える。
【００１４】
コンピュータ本体１１は、薄い箱型の筐体を有しており、この筐体の上面中央部には入力部としてのキーボード１３が設けられる。表示装置１２には、非自発光型の表示パネルとしての液晶表示パネル（ＬＣＤ：Liquid Crystal Display、以下ＬＣＤパネル１４という）が組み込まれている。表示装置１２は、コンピュータ本体１１に対して、開閉軸１５を中心として矢印Ｘの方向に開閉自在となるように、連結部１６（ヒンジ）を介して連結される。
【００１５】
図２は、図１に示すコンピュータ本体１１および表示装置１２の内部構成例を示す概略的なブロック図である。
【００１６】
表示装置１２は、ＬＣＤパネル１４と、ＬＣＤパネル１４に対して光を照射する光源としてのＬＥＤ群２１と、ＬＣＤパネル１４とは独立した部材として設けられＬＥＤ群２１の発光輝度を制御する光源駆動部としてのドライバ回路２２と、光源とドライバ回路２２とを接続するフレキシブルプリント基板（ＦＰＣ：Flexible Printed Circuit）２３とを有する。
【００１７】
また、コンピュータ本体１１は、ＧＰＵ２４（Graphics Processing Unit）と、表示装置１２の各部に対する電力供給を行う電源回路２５とを有する。
【００１８】
図２に示すように、ＧＰＵ２４は、ＬＣＤ基板２６に設けられたインターフェース２７に接続されたＦＰＣなどの配線２８を介してＬＣＤパネル１４と接続され、ＬＣＤパネル１４の表示制御を行う。また、ＧＰＵ２４は、配線２８を介してドライバ回路２２と接続され、ドライバ回路２２を制御する。
【００１９】
ドライバ回路２２を表示パネルとは独立した部材として設けて表示装置１２の筐体内に共に内蔵されるような構成とすることにより、表示装置１２の光源を冷陰極管からＬＥＤに変更するにあたって冷陰極管を用いた表示装置の部材を有効活用することができるようになる。
【００２０】
図３は、光源に冷陰極管３１を用いた表示装置１００の内部構成例を示す概略的なブロック図である。
【００２１】
図３に示すように、光源に冷陰極管３１を用いた表示装置１００は、ＬＣＤパネル１４と、冷陰極管３１と、ＬＣＤパネル１４とは独立した部材として設けられ冷陰極管３１を点灯させるインバータ回路３２と、冷陰極管３１とインバータ回路３２とを接続するＦＰＣ２３とを有する。
【００２２】
図４は、従来の、光源にＬＥＤを用いた表示装置２００の内部構成例を示す概略的なブロック図であり、図４（ａ）は光源にＬＥＤを用いた従来の表示装置２００の第１の内部構成例を示す概略的なブロック図、図４（ｂ）は光源にＬＥＤを用いた従来の表示装置１２の第２の内部構成例を示す概略的なブロック図である。
【００２３】
また、図５は、ＬＥＤおよび冷陰極管３１（ＣＣＦＬ：Cold Cathode Fluorescent Lamp）の電力―輝度特性を説明するための関係図である。
【００２４】
ＬＥＤは、冷陰極管３１に比べて低消費電力である。図５には、ＬＥＤが冷陰極管３１に比べて５０ｃｄ／ｍ２近傍で０．１Ｗほど消費電力が少ない場合の関係図を示した。また、ＬＥＤは、原理上水銀を含んでしまう冷陰極管３１に比べて環境にやさしい。このため、近年、光源として冷陰極管３１にかえてＬＥＤが用いられることが多くなってきている。
【００２５】
従来の光源にＬＥＤを用いた表示装置２００は、一般に、図４（ａ）および（ｂ）に示すような構成を有するものが多い。ところが、図４（ａ）に示すようなコンピュータ本体１１にドライバ回路２２が設けられる構成や、図４（ｂ）に示すようなＬＣＤ基板２６の上にドライバ回路２２が設けられる構成は、図３に示す冷陰極管３１を用いた表示装置１００の構成と大きく異なる。
【００２６】
これは、従来のＬＥＤを用いた表示装置２００は、冷陰極管３１を用いた表示装置１００の部材を有効活用することについて考慮していないためである。このため、光源を冷陰極管３１からＬＥＤに変更する場合、従来のＬＥＤを用いた表示装置２００では、新たな部材が多数必要となり、冷陰極管３１を用いた表示装置１００の資源が無駄になってしまう。
【００２７】
一方、図２に示すように、本実施形態に係る光源にＬＥＤを用いた表示装置１２は、冷陰極管３１を用いた表示装置１００の部材を有効活用することを十分考慮し、ドライバ回路２２をＬＣＤパネル１４とは独立した部材として設けて表示装置１２の筐体内に共に内蔵されるような構成としている。このため、図２と図３を比較すれば明らかなように、光源を冷陰極管３１からＬＥＤに変更する場合、本実施形態に係る表示装置１２は、冷陰極管３１を用いた表示装置１００の資源を有効に活用することができる。
【００２８】
また、冷陰極管３１を用いた表示装置１００の部材をさらに有効活用するため、図２に示す表示装置１２では、ドライバ回路２２の配線２８との接続側は、インバータ回路３２の配線２８との接続側と共通にするとよい。
【００２９】
図６は、図２に示した表示装置１２においてＬＥＤと一端部が接続されたＦＰＣ２３がＬＣＤパネル１４から引き出される様子の一例を示す説明図である。
【００３０】
冷陰極管３１を用いた表示装置１００の部材をさらに有効活用するため、図２に既に示したように、本実施形態に係る表示装置１２では、ＬＥＤと電気的に接続されたＦＰＣ２３がＬＣＤパネル１４から引き出される位置が、冷陰極管３１を用いた表示装置１００と同様の位置となるようにする。また、ＦＰＣ２３の一端部には、インバータ回路３２と接続するためにコネクタ２９が設けられる。
【００３１】
続いて、インバータ回路３２と接続するためにＦＰＣ２３の一端部に設けられたコネクタ２９のピンアサインについて説明する。
【００３２】
図７は、ＦＰＣ２３のコネクタ２９のピンアサインの一例を示す説明図である。図７には、ＦＰＣ２３のコネクタ２９が３つの陽極用電極Ａ１〜Ａ３および９個の陰極用電極Ｃ１〜Ｃ９を有する場合の例について示した。
【００３３】
図７に示すように、コネクタ２９のピンアサインは、端子の配列方向に陰極用端子Ｃ１〜Ｃ９が隣接して配設されて陰極用端子列をなすとともに陽極用端子Ａ１〜Ａ３が隣接して配設されて陽極用端子列をなすように構成され、かつ、陰極用端子列および陽極用端子列の間には不接続端子ＮＣが配設されるよう構成される。このため、陰極用端子および陽極用端子が隣接する場合に比べ、電圧レベルを安定させることができるとともに、コネクタ２９が斜めに差し込まれた場合に起こりうるショートを未然に防ぐことができる。
【００３４】
また、図７に示すように、コネクタ２９のピンアサインは、端子の配列方向の両端部にさらにそれぞれ不接続端子ＮＣが配設されるよう構成される。このため、コネクタ２９の挿抜により特に負担がかかる両端部のピンに不具合があっても、ＦＰＣ２３とドライバ回路２２との接続には影響しない。
【００３５】
さらに、コネクタ２９には複数の陰極用電極が設けられているため、ＬＥＤ群２１を構成するＬＥＤを複数のＬＥＤ要素群に分割し、各ＬＥＤ要素群を互いに並列に接続することができる。このため、ＬＥＤ群２１を構成するＬＥＤを直列に並べる場合に比べ、必要な電圧および電流を小さくすることができ、コネクタ２９およびＦＰＣ２３の耐圧を超えてしまうおそれが少なくなり、より安全にＬＥＤ群２１を駆動することができる。
【００３６】
図８は、ＬＥＤ群２１を並列に接続する様子の一例を示す説明図である。
【００３７】
図８に示すように、コネクタ２９には複数の陰極用電極が設けられているため、ＬＥＤ群２１を複数のＬＥＤ要素群に分割し、各ＬＥＤ要素群を互いに並列に接続することができる。各ＬＥＤ要素群の個数は電力効率を考えて等しい数とするとよい。
【００３８】
また、コネクタ２９は、３つの陽極用電極Ａ１〜Ａ３および９個の陰極用電極Ｃ１〜Ｃ９を有する。このため、ＬＥＤ群２１を構成するＬＥＤの数が変化しても、同一のコネクタ２９を適用することができる。つまり、このコネクタ２９は、広範にわたるＬＥＤの数に適用することができる。
【００３９】
さらに、陰極用電極の数を陽極用電極の数の３の倍数とすれば、ＲＧＢ−ＬＥＤを用いる場合にも好適に対応でき、よりコネクタ２９の汎用性が高まる。
【００４０】
図９は、ＬＥＤ群２１を構成するＬＥＤの数が４８個の場合のＬＥＤの接続例を示す説明図である。
【００４１】
ドライバ回路２２は、陰極用端子ごとに電流量を制御可能に構成される。図９に示すように、ＬＥＤ群２１を構成するＬＥＤの数が少ない場合は、たとえば、陽極側を１接点とし、陰極側を６接点とすることで、このコネクタ２９を適用することができる。
【００４２】
図１０は、ＬＥＤ群２１を構成するＬＥＤの数が８８個の場合のＬＥＤの接続例を示す説明図である。
【００４３】
図１０に示すように、ＬＥＤ群２１を構成するＬＥＤの数が増えても、陽極側を３接点とし、陰極側を８接点とすることで、１接点あたりの電流負荷を低減することができる。
【００４４】
したがって、図９および図１０に示すように、このコネクタ２９は、広範にわたるＬＥＤの数に適用することができるといえる。
【００４５】
図１１は、同一の陰極用端子に直列に接続されたＬＥＤが互いに隣接しないように配設される様子の一例を示す説明図である。
【００４６】
図１１に示すように、同一の陰極用端子に直列に接続されたＬＥＤ１Ａ、２Ａ、３Ａと、他の同一の陰極用端子に直列に接続されたＬＥＤ１Ｂ、２Ｂ、３ＢとでＬＥＤ群２１が構成される場合について考える。この場合、たとえばＬＥＤ２Ａが劣化すると、ＬＥＤ１Ａ、２Ａ、３Ａのすべての輝度が低下する場合がある。このとき、ＬＥＤ１Ａ、２Ａ、３Ａが隣接して配設されていると、ＬＣＤパネル１４の対応する領域のみが集中して暗くなるため、ユーザの視認性が著しく低下してしまう。
【００４７】
そこで、図１１に示すように、同一の陰極用端子に直列に接続されたＬＥＤは、互いに隣接しないように、フレキシブル基板上などに配設される。このように配設することによって、１つのＬＥＤが劣化した場合にＬＣＤパネル１４の一部が集中して暗くなってしまう不具合を防ぐことができる。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい
【図面の簡単な説明】
【００４９】
【図１】本発明に係る情報処理装置の第１実施形態を示す概略的な全体構成図。
【図２】図１に示すコンピュータ本体および表示装置の内部構成例を示す概略的なブロック図。
【図３】光源に冷陰極管を用いた表示装置の内部構成例を示す概略的なブロック図。
【図４】（ａ）は光源にＬＥＤを用いた従来の表示装置の第１の内部構成例を示す概略的なブロック図、（ｂ）は光源にＬＥＤを用いた従来の表示装置の第２の内部構成例を示す概略的なブロック図。
【図５】ＬＥＤおよび冷陰極管（ＣＣＦＬ：Cold Cathode Fluorescent Lamp）の電力―輝度特性を説明するための関係図。
【図６】図２に示した表示装置においてＬＥＤと一端部が接続されたＦＰＣがＬＣＤパネルから引き出される様子の一例を示す説明図。
【図７】ＦＰＣのコネクタのピンアサインの一例を示す説明図。
【図８】ＬＥＤ群を並列に接続する様子の一例を示す説明図。
【図９】ＬＥＤ群を構成するＬＥＤの数が４８個の場合のＬＥＤの接続例を示す説明図。
【図１０】ＬＥＤ群を構成するＬＥＤの数が８８個の場合のＬＥＤの接続例を示す説明図。
【図１１】同一の陰極用端子に直列に接続されたＬＥＤが互いに隣接しないように配設される様子の一例を示す説明図。
【符号の説明】
【００５０】
１０  情報処理装置
１１  コンピュータ本体
１２、１００、２００  表示装置
１３  キーボード
１４  ＬＣＤパネル
１５  開閉軸
１６  連結部
２１  ＬＥＤ群
２２  ドライバ回路
２３  ＦＰＣ
２４  ＧＰＵ
２５  電源回路
２６  ＬＣＤ基板
２７  インターフェース
２８  配線
２９  コネクタ
３１  冷陰極管
３２  インバータ回路
【図１】
2010008949.tif 000003
【図２】
2010008949.tif 000004
【図３】
2010008949.tif 000005
【図４】
2010008949.tif 000006
【図５】
2010008949.tif 000007
【図６】
2010008949.tif 000008
【図７】
2010008949.tif 000009
【図８】
2010008949.tif 000010
【図９】
2010008949.tif 000011
【図１０】
2010008949.tif 000012
【図１１】
2010008949.tif 000013
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
非自発光型の表示パネルと、
前記表示パネルに対して光を照射する光源と、
前記表示パネルとは独立した部材として設けられ、前記光源の輝度を制御する光源駆動部と、
前記光源と前記光源駆動部とを接続するフレキシブルプリント基板と、
を、筐体内に有する表示装置を備え、
前記光源駆動部と接続するために前記フレキシブルプリント基板の一端部に設けられたコネクタのピンアサインは、陰極用端子の数が陽極用端子の数の３の倍数となるよう構成され、
前記光源は、
同一の前記陰極用端子に直列に接続された複数の前記光源が互いに隣接しないように、隣接する前記光源が接続された前記陰極用端子が互いに異なるよう配設されたことを特徴とする情報処理装置。
【請求項２】
前記コネクタに配設された前記陰極用端子は複数であり、
前記光源制御部は、前記陰極用端子ごとに電流量を制御可能に構成された、
請求項１記載の情報処理装置。
【請求項３】
前記コネクタのピンアサインは、
端子の配列方向に前記陰極用端子が隣接して配設されて陰極用端子列をなすとともに前記端子の配列方向に前記陽極用端子が隣接して配設されて陽極用端子列をなすように構成され、かつ、前記陰極用端子列および前記陽極用端子列の間には不接続端子が配設されるよう構成された、
請求項２記載の情報処理装置。
【請求項４】
前記コネクタのピンアサインは、
前記端子の配列方向の両端部にさらにそれぞれ不接続端子が配設されるよう構成された、
請求項３記載の情報処理装置。
【請求項５】
前記コネクタには、
前記陰極用端子が９個配設され、前記陽極用端子が３個配設された、
請求項４記載の情報処理装置。
【手続補正２】
【補正対象書類名】明細書
【補正対象項目名】０００９
【補正方法】変更
【補正の内容】
【０００９】
本発明に係る情報処理装置は、上述した課題を解決するために、非自発光型の表示パネルと、前記表示パネルに対して光を照射する光源と、前記表示パネルとは独立した部材として設けられ、前記光源の輝度を制御する光源駆動部と、前記光源と前記光源駆動部とを接続するフレキシブルプリント基板と、を、筐体内に有する表示装置を備え、前記光源駆動部と接続するために前記フレキシブルプリント基板の一端部に設けられたコネクタのピンアサインは、陰極用端子の数が陽極用端子の数の３の倍数となるよう構成され、前記光源は、同一の前記陰極用端子に直列に接続された複数の前記光源が互いに隣接しないように、隣接する前記光源が接続された前記陰極用端子が互いに異なるよう配設されたことを特徴とするものである。